(57)【特許請求の範囲】
【請求項１】
建造物の躯体に、垂直面方向に沿って並べられた複数の壁パネルが取り付けられるとともに、これら壁パネルの外表面に張り出した複数のアーム部材が前記躯体に固定状態に設けられ、これらアーム部材の張り出し端部に、前記壁パネルの外表面上で上下方向に沿う縦フレームがそれぞれ設けられ、これら縦フレームに、水平方向に沿うレールファスナーが縦フレームの長さ方向に間隔をおいて複数設けられ、これらレールファスナーに前記壁パネルと平行に複数の仕上げパネルが取り付けられていることを特徴とする外装仕上げパネル取り付け構造。
【請求項２】
前記アーム部材は、隣接する前記壁パネルどうしの間を経由して設けられていることを特徴とする請求項１記載の外装仕上げパネル取り付け構造。
【請求項３】
前記レールファスナーは、前記縦フレームに前記アーム部材の張り出し方向に沿う軸心を中心として揺動自在に取り付けられていることを特徴とする請求項１又は２記載の外装仕上げパネル取り付け構造。
【発明の詳細な説明】
【技術分野】
【０００１】
本発明は、建造物の表面の外装として、建造物の躯体に固定した押出成形セメント板等の壁パネルの表面に、石材、大型タイル等の仕上げパネルを取り付けた建造物の外装仕上げパネル取り付け構造に関する。
【背景技術】
【０００２】
建造物の躯体に固定した押出成形セメント板は、主として中高層の鉄骨建築物における外壁および間仕切壁に用いる材料で、セメント・けい酸質原料及び繊維質原料を主原料として、中空を有する板状に押出成形しオートクレーブ養生したパネルであり、力学的性能、耐久性能、耐火性能、耐震性能に優れ、また、乾式工法のため施工性に優れるなどの特長を有している。その表面は、平坦面とされたものや、リブ、エンボス等が加工されたものがある。また、表面に、石材や大型タイル等の仕上げパネルが取り付けられる場合もある。
【０００３】
このような押出成形セメント板等の壁パネルの表面に石材、大型タイル等の仕上げパネルを取り付ける場合、例えば特許文献１〜３に示される構造が知られている。
特許文献１記載の取り付け構造は、中空セメント板（壁パネル）に化粧石板（仕上げパネル）を貼設し、取付ファスナー、セパレータを介して型枠空間を形成した状態とされており、中空セメント板の凹部にファスナーを配置し、中空セメント板の裏面から貫通したセパレータの先端部をファスナーに定着している。セパレータの後端には堰板を設けて、中空セメント板と堰板との間の型枠空間にコンクリートを打設するようになっており、中空セメント板の凹部のファスナーに化粧石板が取り付けられている。
【０００４】
特許文献２記載の取り付け構造は、中空セメント板（壁パネル）の外周がフレーム材によって取り囲まれており、Ｈ型鋼等の梁材に固定されている。そして、中空セメント板の表面にレール状の上部ライナー、下部ライナー、中間ライナーが水平に固定され、これらライナーの間に化粧石板（仕上げパネル）が取り付けられている。
特許文献３記載の取り付け構造は、押出成形セメント板（壁パネル）の上下端面を建造物の躯体に支持し、この押出成形セメント板の表面に、水平に連続するレール状の仕上げ材取付用下地金物を高さ方向に複数本固定し、この仕上げ材取付用下地金物に仕上げ材（仕上げパネル）を取り付けている。この場合、各仕上げ材取付用下地金物は、押出成形セメント板の幅方向の中央部に挿通したボルトによって固定されている。
この特許文献２のライナー、特許文献３の仕上げ材取付用下地金物は、ともに水平なレール状に形成され、レールファスナーとして知られている。
【先行技術文献】
【特許文献】
【０００５】
【特許文献１】実開昭６３−８５７４８号公報
【特許文献２】実開平５−８９６２１号公報
【特許文献３】特開２０００−１４５０９２号公報
【発明の概要】
【発明が解決しようとする課題】
【０００６】
このような取り付け構造において、仕上げパネルは石材や大型タイル等であって、重量物であるため、これを堅固に支持する必要があるが、特許文献１記載のように、壁パネルとともに建造物の躯体（打設したコンクリート壁）に支持するのでは、その工法が煩雑である。また、特許文献２及び特許文献３記載のように、壁パネル表面の水平なレールファスナーに仕上げパネルを取り付ける場合、仕上げパネルの小口面に金物を固定する必要があるため、仕上げパネルの大きさ等が決まらなければ、レールファスナーの取り付け高さ位置を決定することはできない。仕上げパネルは外観意匠に影響するものであるため、最終段階で仕様が決まる場合があり、そのような場合には、レールファスナーの取り付け高さ位置が最後まで決まらず、施工の煩雑化、長期化を招く原因となる。
また、壁パネルに仕上げパネルの重量が支持される構造であるから、壁パネルへの荷重負担が大きくなり過ぎる傾向にある。この壁パネルは、本来非構造部材であるが、このように荷重負担させる場合には、構造部材として機能させるために過大な肉厚の断面にするなど、特注の壁パネルとする必要がある。
【０００７】
本発明は、このような事情に鑑みてなされたもので、壁パネルへの荷重負担を軽減し、過大な断面とする必要なく経済的であるとともに、施工が容易で短期間で構築可能な外装仕上げパネル取り付け構造を提供することを目的とする。
【課題を解決するための手段】
【０００８】
本発明の外装仕上げパネル取り付け構造は、建造物の躯体に、垂直面方向に沿って並べられた複数の壁パネルが取り付けられるとともに、これら壁パネルの外表面に張り出した複数のアーム部材が前記躯体に固定状態に設けられ、これらアーム部材の張り出し端部に、前記壁パネルの外表面上で上下方向に沿う縦フレームがそれぞれ設けられ、これら縦フレームに、水平方向に沿うレールファスナーが縦フレームの長さ方向に間隔をおいて複数設けられ、これらレールファスナーに前記壁パネルと平行に複数の仕上げパネルが取り付けられていることを特徴とする。
【０００９】
この取り付け構造においては、仕上げパネルは壁パネルではなく、壁パネルの外表面に張り出したアーム部材を介して建造物の躯体に支持される。したがって、壁パネルへの荷重負担は軽減される。また、壁パネルとは別に、アーム部材に設けられた縦フレームによりレールファスナーが配設されているから、壁パネルを取り付けた後に、レールファスナーを任意の高さ位置に配設することができ、仕上げパネルの仕様決定を待たずに、壁パネルの施工を進めることができる。
【００１０】
本発明の外装仕上げパネル取り付け構造において、前記アーム部材は、隣接する前記壁パネルどうしの間を経由して設けられているとよい。
壁パネルのパネル面に貫通孔等を形成することなくアーム部材を張り出させることができ、施工が容易である。
【００１１】
本発明の外装仕上げパネル取り付け構造において、前記レールファスナーは、前記縦フレームに前記アーム部材の張り出し方向に沿う軸心を中心として揺動自在に取り付けられているとよい。
地震等の際の振動により仕上げパネルに変位が生じた場合でも、レールファスナーがその変位に追従して取り付け構造の健全性を維持することができる。
【発明の効果】
【００１２】
本発明の外装仕上げパネル取り付け構造によれば、仕上げパネルの重量をアーム部材により建造物の躯体に支持したので、壁パネルへの荷重負担が軽減されるため、壁パネルの構造性能を必要以上に上げる必要はなくなるとともに、アーム部材に設けた縦フレームにより、レールファスナーを任意の高さ位置に配設することができ、壁パネルの施工を仕上げパネルの仕様決定時期に影響されずに進めることができ、全体の施工を容易にして工期短縮を図ることができる。
【図面の簡単な説明】
【００１３】
【図１】本発明に係る外装仕上げパネル取り付け構造の一実施形態について仕上げパネルを取り付ける前の状態を示す斜視図である。
【図２】図１におけるアーム部材の張り出し部分の詳細を示し、仕上げパネルを取り付けた後の拡大縦断面図である。
【図３】図２のＡ−Ａ線に沿う横断面図である。
【図４】図１における壁パネル表面の縦フレーム及びレールファスナーの取り付け構造を示す正面図である。
【図５】図２の壁パネル及び仕上げパネルの基礎スラブ上の取り付け構造を示す縦断面図である。
【発明を実施するための形態】
【００１４】
以下、本発明に係る外装仕上げパネル取り付け構造の一実施形態を図面を参照しながら説明する。
本実施形態の外装仕上げパネル取り付け構造においては、図１に示すように、建造物の梁等の躯体１に、垂直面方向に沿って並べられた複数の壁パネル２が取り付けられており、これら壁パネル２のうち、左右に隣接する壁パネル２の間から躯体１に固定状態の複数のアーム部材３が壁パネル２の前方に張り出すように配設され、これらアーム部材３の先端部（張り出し端部）に壁パネル２の表面上で垂直に延びる複数の縦フレーム４が取り付けられ、これら縦フレーム４に水平なレールファスナー５が上下方向に間隔をあけて複数取り付けられ、これらレールファスナー５の間に複数の仕上げパネル６が並べられて取り付けられている。
【００１５】
壁パネル２は、本実施形態においては押出成形セメント板であり、内部に押出方向に沿う複数の中空部７が相互に間隔をおいて形成されている。また、幅方向の両端部の一方には、その外側方に向けて突出する凸条８が長さ方向（押出方向）に沿って形成され、幅方向の他方には、隣接する壁パネル２を突き合わせたときに凸条８を係合する溝部９が長さ方向に沿って形成されている。この壁パネル２は、その長さ方向を鉛直方向とする縦張り工法、又は長さ方向を水平方向とする横張り工法のいずれかにより施工される。本実施形態では縦張り工法とした例を図示しており、以下、特に注釈しないときは、縦張り工法によるものとして説明する。
【００１６】
各壁パネル２は、複数枚横に並べられ、また上下複数段に積み重ねられて壁を構築するが、各段毎に、通しアングルと称される等辺山形鋼からなる支持金物１１により建造物の躯体１に取り付けられる。この支持金物１１は、複数枚横に並べられた壁パネル２の背面の上端部及び下端部に、これら壁パネル２の幅方向に沿って複数枚を一括するように取り付けられ、これら支持金物１１が建造物の躯体１に直接又は他のブラケットを介して固定されている。なお、各壁パネル２の間にはシール部材１２が設けられる。
【００１７】
図２には、上下２段の壁パネル２の接合部付近を示しており、図の上側に、上段の壁パネル２の下端を受けるように配置した支持金物（通しアングル）１１が図示され、図の下側には、下段の壁パネル２の背面上部に固定された支持金物（通しアングル）１１が図示されている。これら支持金物１１は、横断面が緩やかなＺ型をしたクリップ部材１３により壁パネル２に挟持状態に取り付けられている。このクリップ部材１３は、これを壁パネル２に取り付けるためのボルト１４を挿通する孔が上下方向に沿う長孔に形成されていることにより、若干の上下移動可能に取り付けられている。また、図示例では、壁パネル２の下端に設けられた支持金物（図１では上側の支持金物）１１は、その背部に固定されたＬ型の等辺山形鋼からなるブラケット１５を介して建造物の躯体１に固定されており、壁パネル２の上部に設けられた支持金物１１（図２では下側の支持金物）は、建造物の躯体１に直接固定されている。
この場合、建造物の躯体１は、Ｈ型鋼からなる梁部材１６と、その上に固定されたスラブ材１７とから構成されており、上段の壁パネル２の下端に配置される支持金物１１と一体のブラケット１５は、その一部がスラブ材１７のモルタルの内に埋設状態に固定され、下段の壁パネル２の上端部に配置される支持金物１１は梁部材１６に溶接により固定されている。
【００１８】
また、梁部材１６の上端面には、スラブ材１７に一部埋設状態に固定金物２１が固定されており、この固定金物２１に、アーム部材３が水平方向に設けられ、このアーム部材３の先端部が壁パネル２の間を通って壁パネル２の表面側に突出している。この場合、壁パネル２は前述したように幅方向の両端部で隣接する壁パネル２相互に凸条８を溝部９に係合した状態に突き合わせられており、アーム部材３が通る部分（図１及び図２に示す例では各壁パネル２の上端部）では、凸条８の一部が切り欠かれており、その切欠部２２を経由してアーム部材３が配置されている。
このアーム部材３は、各壁パネル２の上端部に配置されることにより、壁パネル２の間の高さ方向の複数箇所に配設されており、これらアーム部材３の先端部に、壁パネル２の表面上に鉛直方向に沿って配置した帯板状の縦フレーム４がＬ型の等辺山形鋼からなるブラケット２３，２４を介して取り付けられている。
【００１９】
この場合、各アーム部材３の先端部には、若干の長さのプレート部材２５が鉛直下方に向けて固定されており、Ｌ型のブラケット２３，２４は、このプレート部材２５の上下端部に１個ずつ設けられている。また、上側のブラケット２３はプレート部材２５に移動を拘束された状態に固定され、下側のブラケット２４はプレート部材２５の長孔２６により若干の上下移動可能に取り付けられている。そして、縦フレーム４は、各アーム部材３の間に１本ずつ配置され、縦フレーム４の上端部がアーム部材３の下側のブラケット２４に取り付けられ、縦フレーム４の下端部がアーム部材３の上側のブラケット２３に取り付けられている。
また、各アーム部材３の間の部分では、縦フレーム４は壁パネル２にボルト２７によって取り付けられており、そのボルト２７を挿通する孔も上下方向に沿う長孔２８に形成されている。したがって、縦フレーム４は、上下端の両アーム部材３の鉛直方向の相対移動、言い換えれば、上下に隣接する両壁パネル２の鉛直方向の相対移動を長孔２６、２８の範囲で許容した状態に取り付けられることになる。
【００２０】
そして、これら縦フレーム４の鉛直方向の複数位置に、水平にレールファスナー５が取り付けられている。これらレールファスナー５は、Ｌ型の等辺山形鋼からなり、縦フレーム４にはボルト３１によって取り付けられている。この場合、ボルト３１に固定されるナット３２がダブルナットとされ、そのナット３２による締結力がレールファスナー５に伝達しないように構成されており、これにより、レールファスナー５がボルト３１を中心に若干揺動できるように取り付けられている。また、そのボルト３１が挿通されるレールファスナー５のボルト挿通孔３３も若干上下方向に沿って延びる長孔に形成されている。
【００２１】
そして、このレールファスナー５に、上向きだぼピン４１と下向きだぼピン４２とを有するプレート部材４３が取り付けられ、このプレート部材４３のだぼピン４１，４２に嵌合状態に仕上げパネル６が取り付けられている。プレート部材４３は、その基端部がレールファスナー５にボルト４４により水平に固定され、そのプレート部材４３の先端部に、その上面に上向きのだぼピン４１が固定状態に設けられるとともに、壁パネル２の幅方向（水平方向）に沿う長孔４５に、下向きのだぼピン４２が移動自在に取り付けられている。この下向きのだぼピン４２は大径の頭部を有し、長孔４５からの抜け止めがなされている。また、レールファスナー５にプレート部材４３を取り付けるためにプレート部材４３に形成されたボルト挿通孔４６もレールファスナー５の長さ方向に沿う長孔に形成されている。
【００２２】
また、仕上げパネル６は、例えば、壁パネル２よりも高さは小さいが幅は大きい長方形板状に形成されており、その下端及び上端には、だぼピン４１，４２を嵌合する孔５１が形成されている。そして、レールファスナー５に取り付けられた状態のプレート部材４３の先端部間に、上向きだぼピン４１及び下向きだぼピン４２を嵌合した状態に仕上げパネル６が取り付けられ、複数枚の仕上げパネル６が幅方向に並べられるとともに、上下複数段に配置されることにより、壁パネル２の外側を覆うように鉛直に仕上げ面を構成している。なお、各だぼピン４１，４２は、各仕上げパネル６の幅方向両端部の上下に１本ずつ配置され、１枚の仕上げパネル６に対して合計４本配置されるように設けられている。また各仕上げパネル６の間にはシール部材５２が設けられる。
【００２３】
なお、壁の最下端においては、図５に示すように、壁パネル２及び仕上げパネル６を支持する基礎スラブ５５に高さの異なる二段の段部５６，５７が形成され、最も高い段部５６の外側の二番目に高い段部５７上に壁パネル２が配置され、その段部５６の外側の最も低い位置に仕上げパネル６が配置されている。したがって、基礎スラブ５５は、壁パネル２よりも内側が最も高く、これよりも若干低い位置が壁パネル２の下端位置とされ、最も低い位置が仕上げパネル６の下端位置となっており、内側から外側に向けて一段ずつ低くなっている。また、壁パネル２の下端部は、支持金物１１が基礎スラブ５５に直接固定され、また、仕上げパネル６の下端部に嵌合しているだぼピン（この場合は上向きだぼピンのみ）４１を固定したプレート５８は、基礎スラブ５５にアンカーボルト５９によって固定されたブラケット６０にボルト６１によって取り付けられている。符号６２は、壁パネル２の中空部７内、及び壁パネル２と仕上げパネル６との間にそれぞれ水が溜まった場合にこれを排出する水抜きパイプを示す。
【００２４】
このように構成した仕上げパネル取り付け構造において、建造物の躯体１から壁パネル１の間を通ってアーム部材３を張り出させ、そのアーム部材３の先端部に縦フレーム４を取り付け、その縦フレーム４にレールファスナー５を取り付けているから、このレールファスナー５に取り付けられる仕上げパネル６は、壁パネル２に支持されるのではなく、アーム部材３を介して建造物の躯体１に支持されることになる。したがって、石材や大型タイル等の重量物からなる仕上げパネル６の重量を剛構造の躯体１に支持させて、その支持を堅固にすることができるとともに、壁パネル２への荷重負担を軽減することができる。したがって、壁パネル２としては、仕上げパネル６を取り付けるために過大な肉厚にする必要はなく、仕上げパネル６を取り付けない設計の壁パネルをその肉厚のまま使用することができ、経済的である。
この場合、隣接して配置される壁パネル２どうしの間からアーム部材３を張り出すようにしており、そのアーム部材３を壁パネル２の凸条８の一部を切欠するだけでよく、施工が容易である。
【００２５】
また、壁パネル２とは別に、アーム部材３に取り付けた縦フレーム４によりレールファスナー５が配設されているから、壁パネル２を取り付けた後に、レールファスナー５を任意の高さ位置に配設することができ、仕上げパネル６の仕様決定を待たずに、壁パネル２の施工を進めることができる。このため、施工管理が容易になり、全体の工期短縮を図ることができる。
【００２６】
さらに、各壁パネル２は、その支持金物１１とクリップ部材１３との取り付け構造により、地震等の際の振動による若干の相互変位が許容された状態とされているが、仕上げパネル６においても、これを建造物の躯体１に支持するまでの各部材の連結部分、具体的には、アーム部材３に取り付けられている二つのブラケット２３，２４のうちの一方のブラケット２４の取り付け部分、縦フレーム４へのレールファスナー５の取り付け部分、レールファスナー５へのプレート部材４３の取り付け部分、プレート部材４３に取り付けられている２本のだぼピン４１，４２のうちの一方のだぼピン４２の取り付け部分が、それぞれ連結される両部材の若干の相互移動が許容された状態とされており、地震等の際の振動に対して、各部材の連結部分がその変位に追従して、仕上げパネル６の取り付け構造を健全に維持することができる。
【００２７】
なお、本発明は上記実施形態に限定されるものではなく、本発明の趣旨を逸脱しない範囲において種々の変更を加えることが可能である。
例えば、上記実施形態では壁パネルの縦張り構造のものについて説明したが、横張り構造のものにも適用することができる。また、壁パネル２の凸条８の一部を切欠してアーム部材３を挿通させたが、壁パネルの上下端の目地部にアーム部材を挿通させてもよく、その場合は、壁パネルの一部を切欠する必要はない。
【符号の説明】
【００２８】
１  躯体
２  壁パネル
３  アーム部材
４  縦フレーム
５  レールファスナー
６  仕上げパネル
７  中空部
８  凸条
９  溝部
１１  支持金物
１２  シール部材
１３  クリップ部材
１４  ボルト
１５  ブラケット
１６  梁部材
１７  スラブ材
２１  固定金物
２２  切欠部
２３，２４  ブラケット
２５  プレート部材
２６  長孔
２７  ボルト
２８  長孔
３１  ボルト
３２  ナット
３３  ボルト挿通孔
４１，４２  だぼピン
４３  プレート部材
４４  ボルト
４５  長孔
５１  孔
５５  基礎スラブ
５６，５７  段部
５８  プレート
５９  アンカーボルト
６０  ブラケット
６１  ボルト
６２  水抜きパイプ
【図１】
0005385805.tif 000002
【図２】
0005385805.tif 000003
【図３】
0005385805.tif 000004
【図４】
0005385805.tif 000005
【図５】
0005385805.tif 000006